(57)【要約】【課題】展開操作を繰り返しても緩みのでないめがねテンプルのヒンジ構造。  【解決手段】めがねのレンズ或いはフレームヒンジ部に固定される第一ヘッド２１、第二ヘッド２３、及び固定ネジ２４から構成されるめがねテンプルのヒンジであって、  第一ヘッド一端に長柱筒２１２、別端に短柱筒２１３を設け、短柱筒ヒンジ部に切欠きストッパー２１３１を形成し、その内腔にネジ穴を設ける。  テンプル一端の固定穴２２１１にストッパー２２１２を嵌合し、下側第二表面２２２側の穴に圧縮スプリング２２２１を嵌合する。第二ヘッドは、一端にある軸２３１１を第二ヘッドの長柱筒２１２に挿入し、他端の穴２３１２に固定ネジ２４を挿通し、テンプル第二表面の穴の圧縮スプリングを経て第一ヘッドの短柱筒２１３のネジ穴に螺合する。    テンプルの展開はストッパーにより過度の回転が規制される。【選択図】図２
0003154171.tif 000002
【実用新案登録請求の範囲】
【請求項１】
第一ヘッド、第二ヘッド、テンプル、固定ネジからなり、
該第一ヘッドは、枠片を形成してその一端をメガネフレーム又はめがねに固定し、枠片の両端に垂直にそれぞれ長柱筒と短柱筒を設け、短柱筒に切欠きストッパーを形成すると共にその内腔にネジ穴を設け、
該テンプルの高さを長柱筒と一致させ、テンプルに上側又は下側第一表面及び相対する下側又は上側第二表面において、第一表面に穴を設けてストッパーを嵌合し、第二表面の穴内部に圧縮スプリングを嵌め、
第二ヘッドは、枠片を形成してその一端に軸を設けて第一ヘッドの長柱筒に挿入し、他端に穴を設け、
固定ネジは、順に第二ヘッドの穴、テンプル第二表面の穴にある圧縮スプリングを挿通し、第一ヘッドの短柱筒のネジ穴に螺合し、
テンプルが固定ネジを軸として回転することにより、テンプル孔内の上記ストッパーが第一ヘッドの短柱筒に設けた切欠きストッパーの片側に当接してその回転が規制される、ことを特徴とするめがねテンプルのヒンジ構造。
【請求項２】
前記圧縮スプリングと該第二ヘッドの間にストッパーリングを嵌め、該第一ヘッドを上ヘッド、第二ヘッドを下ヘッド、或いは該第一ヘッドを下ヘッド、第二ヘッドを上ヘッドとしたことを特徴とする請求項１記載のめがねテンプルのヒンジ構造。
【請求項３】
前記テンプルの第二表面に補強ブロックを嵌合し、該補強ブロックは固定ネジが通る穴のほかに段付き穴を具有し、その段付き穴にネジを挿入して該テンプルに補強ブロックを固定したことを特徴とする請求項１記載のめがねテンプルのヒンジ構造。
【考案の詳細な説明】
【技術分野】
【０００１】
本考案はめがねのテンプルのヒンジ構造に関し、特に、テンプルの回転角度を制限できる機能を具有し、如何なる角度に開閉するときでも、ネジが緩くならないめがねのテンプルのヒンジ構造に関する。
【背景技術】
【０００２】
従来技術のめがねのテンプルは、フレームと組み合わせる際、図１に示すようにネジ穴とネジで螺合して固定する。このような従来技術のテンプルの片端に同一中心線を持つ上穴１１及び下穴１２を具有し、下穴１２の内部にネジみぞ１２１を設ける。フレーム１３側の結合部位である組立部１４は柱穴１４１を具有し、柱穴１４１を上穴１１及び下穴１２の間に配置して、ネジ１５を順に上穴１１、柱穴１４１及び下穴１２を通して固定する。
【０００３】
前記従来技術においては、組み合わせたテンプル１０は、フレーム１３に対して閉合及び展開するために回転可能であり、該テンプル１０は僅か固定ネジ１５のみで螺合する。固定ネジ１５でしっかり締めると、上穴１１と下穴１２がきつく締められ、テンプル１０が回転しづらい。固定ネジ１５を緩めると、テンプル１０が緩すぎて、垂直に振れるようになり、フレーム１３をしっかり固定できないため、更なる改善が必要であった。
【先行技術文献】
【特許文献】
【０００４】
【特許文献１】特開２００２−２７７８３６号公報
【考案の概要】
【考案が解決しようとする課題】
【０００５】
前記従来技術の欠点を解決するため、本考案はテンプルが開閉する際に、過度に展開しないように随時位置決めでき、開閉しやすいフレーム構造を提供することを主な課題とする。
【課題を解決するための手段】
【０００６】
前記目的を達成するために、本考案はめがねのテンプルのヒンジ構造を提供するものである。上側第一ヘッド、下側第二ヘッド(下側ヘッド或いは上側ヘッドにすることもできる)に枠片を具有し、第一ヘッド片端をめがねフレーム又はめがねに固定し、垂直に長柱筒を設ける。他端に短柱筒を設け、該筒ヒンジ部に切欠きストッパーを形成し、その内腔にネジ穴を設ける。テンプルヘッド一端の上側第一表面及び相対する下側第二表面において、第一表面に穴を設けて穴内部にストッパーを嵌合し、第二表面の穴に圧縮スプリングを嵌合する。
第二ヘッド枠片の一端に軸を設けて長柱筒内に挿入し、他端に穴を設け、固定ネジを順に第二ヘッド２３の穴２３１２、テンプル２２第二表面２２２の穴２２１１にある圧縮スプリング２２２１を通し、第一ヘッド２１の短柱筒２１３のネジ穴２１３２と螺合する。
【０００７】
本考案のテンプル第二表面に補強ブロックを嵌合し、該補強ブロックは固定ネジが通る穴及び隠し穴を具有し、ネジが隠し穴を通してテンプルに固定する。
【０００８】
本考案は圧縮スプリングと第二ヘッドの間にリングを嵌合する。
【０００９】
本考案のヒンジ部はめがねレンズ或いはめがねフレームである。
【考案の効果】
【００１０】
本考案のテンプルは、展開或いは閉合する過程で、スプリングの復元力を介して微妙な牽制力を形成するため、随時テンプルを位置決めすることができる。
【図面の簡単な説明】
【００１１】
【図１】めがねのテンプルのヒンジ構造の従来技術の立体分解図である。
【図２】本考案のめがねのテンプルのヒンジ構造実施例の立体分解図である。
【図３】図２の立体組立図である。
【図４】本考案のめがねのテンプルのヒンジ構造実施例のテンプル展開及び閉合動作の略図である。
【図５】本考案をフレーム無しめがねに応用した実施例の正面略図である。
【図６】本考案をフレーム有りめがねに応用した実施例の正面略図である。
【図７】本考案のめがねテンプルのヒンジ構造は、補強部品を具有する実施例の立体分解図である。
【考案を実施するための形態】
【実施例】
【００１２】
本考案によるめがねのテンプルのヒンジ構造を明確に示すために図の記載に沿って詳細な説明を行う。
【００１３】
図２及び図３に示すように、本考案のめがねテンプルのヒンジ構造２０はめがねヒンジ部３０に設置され、第一ヘッド２１及び第二ヘッド２３を具える。第一ヘッド２１は、枠片２１１を具有し、テンプルは枠片２１１の一端を介してヒンジ部３０に固定する。枠片２１１の両端にそれぞれ長柱筒２１２と短柱筒２１３を設け、短柱筒２１３ヒンジ部に切欠きストッパー２１３１を形成し、その内腔はネジ穴２１３２を形成する。テンプル２２の高さは長柱筒２１２と同じである。テンプル２２に上側第一表面２２１及び相対する下側第二表面２２２を具有し、第一表面に穴２２１１を設け、穴２２１１にストッパー２２１２を嵌合する。
第二表面２２２の穴内部に圧縮スプリング２２２１を嵌め、同時にストッパーリング２２２２を嵌合する。
第二ヘッド２３は、枠片２３１を具有し、枠片２３１の一端に軸２３１１を設けて長柱筒２１２に挿入し、他端に穴２３１２を設ける。固定ネジ２４は順に第二ヘッド２３の穴２３１２、テンプル２２第二表面２２２の穴２２１１にある圧縮スプリング２２２１を通し、第一ヘッド２１の短柱筒２１３のネジ穴２１３２に螺合する。
【００１４】
図４に示すように、テンプル２２は固定ネジ２４を軸として回転することができる。ある特定角度に回転すると、テンプル２２の穴２２１１内にあるストッパー２２１２が第一ヘッド２１の短柱筒２１３にある切欠きストッパー２１３１の片側Aに当たるため、テンプルは決められた角度までのみ開くことができる。圧縮スプリング２２２１或いは／及びリング２２２２により、テンプル２２を開閉するときでも、弱い力で固定ネジ２３を緩ませないようプロテクトすると同時に、テンプル２２が開いた角度内で位置決めされるために過度に揺れない。
【００１５】
図５及び図６に示すように、本考案実施例のヒンジ部３０はフレーム無しのめがねレンズ、或いはフレームありのフレームに適用することができる。本考案はフレーム有り或いは無しに関わらず、同一構造でめがねに設置することができる。
【００１６】
図７に示すのは本考案の実施例である。テンプル２２の第二表面２２２に補強ブロック２１３３を嵌合し、補強ブロック２１３３は固定ネジ２４が挿入する穴２１３３１及び段付き穴２１３３２を具有する。該穴２１３３１をテンプル２２の穴に合わせてから、ネジ２５を段付き穴２１３３２に挿入してテンプル２２に固定すると、補強ブロック２１３３は第二表面２２２の中に没入するため、テンプル２２の回転の妨げにならない。
【００１７】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１８】
１０  テンプル
１１  上穴
１２  下穴
１２１  ネジ山
１３  フレーム
１４  組立部
１４１  柱穴
１５  固定ネジ
２０  テンプルのヒンジ構造
２１  第一ヘッド
２１１  枠片
２１２  長柱筒
２１３  短柱筒
２１３１  切欠きストッパー
２１３２  ネジ穴
２１３３  補強ブロック
２１３３１  穴
２１３３２  段付き穴
２２  テンプル
２２１  第一表面
２２１１  穴
２２１２  ストッパー
２２２  第二表面
２２２１  圧縮スプリング
２２２２  リング
２３  第二ヘッド
２３１  枠片
２３１１  軸
２３１２  穴
２４  固定ネジ
２５  ネジ
３０  ヒンジ部  
A  サイド側
【図１】
0003154171.tif 000003
【図２】
0003154171.tif 000004
【図３】
0003154171.tif 000005
【図４】
0003154171.tif 000006
【図５】
0003154171.tif 000007
【図６】
0003154171.tif 000008
【図７】
0003154171.tif 000009